(57)【要約】【課題】液晶テレビジョン受像機において、電源をオフにしても、所定条件を満たせば、視聴を即復活できるようにする。【解決手段】リモートコントローラ１１５の電源キー２０６の操作による信号を受けた際に、映像と音声をミュートしてＬＣＤパネルのバックライトをオフにすると共に、ＬＣＤパネル１０７の電源をオフにする。さらにＬＣＤパネル１０７の電源電圧を監視し、その電圧が所定値以下に低下したら、受像機全体の電源をオフにする。ＬＣＤパネル１０７の電源電圧が所定値以下にならないうちに、リモートコントローラ１１５の電源キー２０６が操作されたら、映像及び音声のミュートを解除し、ＬＣＤパネル１０７のバックライト１０９をオンにして、さらにＬＣＤパネル１０７の電源をオンさせる。【選択図】  図６     
2005295256.tif 000002
【特許請求の範囲】
【請求項１】
放送番組を受信して映像信号を得る受信手段と、
液晶表示パネルで構成され、前記映像信号を表示する表示手段と、
前記受信手段と前記液晶表示パネルに動作電源をそれぞれ選択的に提供する動作電源と、
前記動作電源に対して電源の供給を停止させ、かつ電源の供給を開始させる指令を発する指令発生手段と、
前記表示手段の内部状態を監視して監視結果を出力する監視手段と、
前記指令を発する手段から電源の供給を停止させる指令が発せられた際に、前記動作電源から前記液晶表示パネルへの動作電源の供給を停止すると共に、前記受信手段で受信された映像信号に基づく映像表示をミュートし、さらに前記監視手段で前記動作電源停止後の前記液晶表示手段の内部状態を監視し、所定の条件を満足している状態で、前記指令発生手段段から前記動作電源の供給を再開させる指令が発せられた際に前記液晶表示パネルへの電源の供給を再開して、前記映像のミュートを解除し、さらに前記液晶表示パネルの内部状態が所定の条件を満たさなくなったら、前記動作電源を制御して前記受信手段の動作電源をもオフさせる制御手段と、
を具備したことを特徴とするテレビジョン受像機。
【請求項２】
前記液晶表示パネルは、インバータ回路とこのインバータ回路の出力を動作電源として光を発するバックライトを含み、前記液晶表示パネルの内部条件は、前記インバータ回路に対して与えられる動作電源電圧に基づいて設定されていることを特徴とする請求項１に記載のテレビジョン受像機。
【請求項３】
放送番組を受信して映像信号を得る受信手段と、
液晶表示パネル本体及びインバータ回路及びこのインバータ回路からの出力を動作電源として前記液晶表示パネル本体での表示のための光を出力するバックライト及び前記受信手段からの映像信号に基づき前記液晶表示パネル本体を駆動すると共に前記バックライトの動作を制御するコントロール回路を備えた液晶表示パネルと、
前記受信手段と前記液晶表示パネルに動作電源をそれぞれ選択的に提供する動作電源と、
前記動作電源に対して電源の供給を停止させ、かつ電源の供給を開始させる指令を発する指令発生手段と、
前記指令を発する手段から電源の供給を停止させる指令が発せられた際に、前記動作電源を制御して前記液晶表示パネルへの動作電源の供給を停止し、かつ前記受信手段で受信された映像信号に基づく映像表示をミュートし、さらに前記バックライトをオフさせ、さらに前記インバータ回路へ動作電源として与えられる電圧値を監視し、その値が所定値以下にならないうちに前記指令発生手段から前記動作電源の供給を再開させる指令が発せられた際に前記液晶表示パネルへの電源の供給を再開して、前記バックライトをオンさせ、さらに前記映像信号に基づく映像表示を再開させ、さらに前記インバータ回路へ供給される動作電源の電圧が所定以下に低下したら前記受信手段の動作電源をもオフさせる制御手段と、
を具備したことを特徴とするテレビジョン受像機。
【請求項４】
前記受信手段は、受信した放送番組の音声をも出力するものであり、前記制御手段は、前記映像信号に合せて当該音声信号のミュート及びミュート解除を制御するものであることを特徴とする請求項３に記載のテレビジョン受像機。
【発明の詳細な説明】
【技術分野】
【０００１】
本発明は、液晶表示器を備えたテレビジョン受像機に関し、特に、液晶表示器の動作電源の切換えを機能的に行うことができるようにしたテレビジョン受像機に関する。
【背景技術】
【０００２】
液晶を光学的スイッチ素子として用いる表示器は、通常、液晶パネルとして構成されており、この液晶パネルは、液晶素子と３原色の光学フィルタを含み平板状に形成された表示部と、表示部の液晶素子に映像データを供給するコントロール回路と、液晶素子の背面から光を投射するバックライト及びバックライトに電源を供給するインバータ回路とが平板状の枠体に組み込まれて構成されている。
【０００３】
このような液晶パネルは、パソコンのディスプレイ装置として適用される他、テレビジョン受像機の表示機器としても適用されてきている。
【０００４】
テレビジョン受像機の表示機器として適用される場合、最近では、４０インチを超える大型のものも出現してきており、軽量で設置スペースも少なくて済むことから、今後、プラズマディスプレイと共に、テレビジョン受像機の表示機器として多く適用されることになると思われる。
【０００５】
液晶パネルをテレビジョン受像機の表示機器として適用した場合、映像の表示を違和感なく行うために、各回路部の動作タイミングについて注意を払って管理する必要がある。
【０００６】
例えば、特にコントロール回路部分は、液晶素子の特性上、一旦電源をオフすると所定時間経過してからでないと電源を再投入できないという制約があるため、電源オン時には、バックライトの動作とタイミングを合わせないと、液晶素子が映像信号によって駆動されないうちに、バックライトが点灯してしまって映像のない不自然な画面が表示されるという事態に陥ることになりかねない。
【０００７】
そこで、液晶パネルを備えたテレビジョン受像機では、電源をオンにした際に、所定時間経過後に映像を表示させるという構成になっている。
【０００８】
一般のテレビジョン受像機では、リモートコントローラが標準的に装備されており、受像機のチャンネル切換え、音量調整等の動作設定、各種調整はもっぱらリモートコントローラで行うようになっており、電源のオンオフ切換えもリモートコントローラで行うことができるように構成されている。
【０００９】
番組視聴中に、リモートコントローラのキー操作を間違えて、電源キーを操作して電源を立ち下げてしまった場合、再び電源をオンにしても、液晶パネルでは、映像が表示されるまでしばらく時間がかかるため、ユーザにイライラ感を与えることになって使い勝手の点で必ずしも良好であるとはいえなかった。
【００１０】
このような問題は、陰極線管を表示器として用いたテレビジョン受像機においても、陰極線管の立ち上げ特性に伴う課題として取り上げられており、改善しようという試みがなされている。
【００１１】
例えば、特許文献１には、リモートコントローラの電源キーを操作して電源をオフにした際、そのオフになったタイミングから所定時間は、陰極線管をカットオフ状態で動作させておくと共に、音声をミュートして外見上はあたかも電源がオフになったように設定しておいて、所定時間内に電源キーが操作されたら、陰極線管のカットオフを解くと共に、音声ミュートを解除して、即、視聴を再開できるようにし、所定時間以上電源キーが操作されなかったら、通常の電源処断処理を行うようにした提案が開示されている。
【００１２】
この特許文献１に開示された提案は、液晶パネルを備えたテレビジョン受像機にもそのまま適用することが可能であるが、しかしながら、電源キーが操作されることで設定される、電源が遮断されずに映像及び音声がミュートされている状態を単に時間で管理しているだけであるため、各回路部の動作を細かに管理する必要がある液晶パネルに適用するには、必ずしも適当であるとはいえない。
【特許文献１】特開平５−１６１０９３号公報（第３頁、図３）
【発明の開示】
【発明が解決しようとする課題】
【００１３】
以上のように、従来、液晶パネルを用いたテレビジョン受像機において、ユーザが誤って電源をオフしてしまった場合、再び電源をオンさせて表示を開始させるまでに相当の時間が掛かり、使い勝手の点で改善の余地があった。
【００１４】
本発明は、以上の点に鑑みてなされたものであり、液晶パネルに動作電源として与えられる電圧を監視して、その電圧値が所定以下に低下するまでに、電源を立ち上げれば、視聴を即再開できるようにして、使い勝手を向上させた液晶パネルを備えたテレビジョン受像機を提供することを目的とする。
【課題を解決するための手段】
【００１５】
本発明のテレビジョン受像機は、放送番組を受信して映像信号を得る受信手段と、液晶表示パネルで構成され、前記映像信号を表示する表示手段と、前記受信手段と前記液晶表示パネルに動作電源をそれぞれ選択的に提供する動作電源と、前記動作電源に対して電源の供給を停止させ、かつ電源の供給を開始させる指令を発する指令発生手段と、前記表示手段の内部状態を監視して監視結果を出力する監視手段と、前記指令を発する手段から電源の供給を停止させる指令が発せられた際に、前記動作電源から前記液晶表示パネルへの動作電源の供給を停止すると共に、前記受信手段で受信された映像信号に基づく映像表示をミュートし、さらに前記監視手段で前記動作電源停止後の前記液晶表示手段の内部状態を監視し、所定の条件を満足している状態で、前記指令発生手段段から前記動作電源の供給を再開させる指令が発せられた際に前記液晶表示パネルへの電源の供給を再開して、前記映像のミュートを解除し、さらに前記液晶表示パネルの内部状態が所定の条件を満たさなくなったら、前記動作電源を制御して前記受信手段の動作電源をもオフさせる制御手段と、を具備したことを特徴とする。
【００１６】
本発明のテレビジョン受像機は、放送番組を受信して映像信号を得る受信手段と、液晶表示パネル本体及びインバータ回路及びこのインバータ回路からの出力を動作電源として前記液晶表示パネル本体での表示のための光を出力するバックライト及び前記受信手段からの映像信号に基づき前記液晶表示パネル本体を駆動すると共に前記バックライトの動作を制御するコントロール回路を備えた液晶表示パネルと、前記受信手段と前記液晶表示パネルに動作電源をそれぞれ選択的に提供する動作電源と、前記動作電源に対して電源の供給を停止させ、かつ電源の供給を開始させる指令を発する指令発生手段と、前記指令を発する手段から電源の供給を停止させる指令が発せられた際に、前記動作電源を制御して前記液晶表示パネルへの動作電源の供給を停止し、かつ前記受信手段で受信された映像信号に基づく映像表示をミュートし、さらに前記バックライトをオフさせ、さらに前記インバータ回路へ動作電源として与えられる電圧値を監視し、その値が所定値以下にならないうちに前記指令発生手段から前記動作電源の供給を再開させる指令が発せられた際に前記液晶表示パネルへの電源の供給を再開して、前記バックライトをオンさせ、さらに前記映像信号に基づく映像表示を再開させ、さらに前記インバータ回路へ供給される動作電源の電圧が所定以下に低下したら前記受信手段の動作電源をもオフさせる制御手段と、を具備したことを特徴とする。
【発明の効果】
【００１７】
本発明によれば、電源のオフ指令後、液晶表示器の動作状態に則して、即視聴を再開可能状態とするか、あるいは完全に電源オフ状態にするかを切換えるように構成したため、より実用的なテレビジョン受像機を提供することができるものである。
【発明を実施するための最良の形態】
【００１８】
以下、図面を参照しながら本発明に係るテレビジョン受像機の一実施の形態を詳細に説明する。  
図１は、本発明のテレビジョン受像機の回路構成を示すブロック図である。図において、テレビジョン受像機１００はデジタル放送に対応するように構成されたものであり、ケーブルを介して、衛星放送あるいは地上波放送のデジタル放送を受けるアンテナ１０１に接続されたアンテナ入力端子１０２を有する。
【００１９】
アンテナ入力端子１０２は、チューナ／デマルチプレクサ部１０３に接続され、アンテナ１０１でキャッチされた放送電波が放送信号としてチューナ／デマルチプレクサ部１０３に供給されて、ここで選局、復調、誤り訂正等の処理が行われてＭＰＥＧ（Moving Picture Experts Group）２のＴＳ（Transport Stream）に変換されると共に、さらに番組を構成するＰＥＳ（Packetized Elementary Stream）が分離抽出されて、ＭＰＥＧ２デコーダ１０４に供給される。
【００２０】
ＭＰＥＧ２デコーダでは映像のＰＥＳに対して、ＭＰＥＧ２の復号を行って、非圧縮のデジタル映像信号としてスケーラ１０５に導出する。スケーラ１０５では、デコーダ１０４から供給されたデジタル映像信号の諧調を液晶（ＬＣＤ）パネルの表示特性に合わせて補正し、ＬＶＤＳ（Low Voltage Differential Signaling）トランスミッタ１０６に供給する。
【００２１】
ＬＶＤＳトランスミッタ１０６は、映像信号、同期信号及びクロックを低振幅差動信号として構築して、ＬＣＤパネル１０７に供給する。ＬＣＤパネル１０７は、コントロール回路１０８と、バックライト１０９に電源を提供するインバータ回路１１０を備え、コントロール回路１０８は、バックライト１０９によって光が照射されたＬＣＤを低振幅差動信号に基づいて駆動して映像信号を映像として表示する。
【００２２】
また、ＭＰＥＧ２デコーダ１０４は、番組を構成する音声ＰＥＳに対しても復号処理を施して、非圧縮デジタル音声信号として、音声信号処理回路１１１に出力する。音声信号処理回路１１１は、デジタル音声信号に対して、音量調整、アナログ信号への変換等の処理を行い、スピーカ１１２に導出して、音声として出力する。
【００２３】
さらに、テレビジョン受像機１００は、チャンネル切換え、音声ミュートを含む音量調整等を実行させるためのメインマイコン１１３を備えている。このメインマイコン１１３には、操作入力部１１４とリモートコントローラ１１５からの信号を受ける赤外線受光部１１６が接続されている。
【００２４】
操作入力部１１４は、テレビジョン受像機１００の例えば前面パネルに設けられた複数のスイッチで構成され、ユーザがこの操作入力部１１４あるいはリモートコントローラ１１５を操作することで、メインマイコン１１３がそれを受けて、チューナ／デマルチプレクサ部１０３、ＭＰＥＧ２デコーダ１０４、音声信号処理回路１１１を制御して、チャンネル選局、音声ミュート、音量調整等の処理を実行する。
【００２５】
さらにメインマイコン１１３には、テレビジョン受像機１００の電源のオンオフ状態を表示するためのＬＥＤ（Light Emitting Diode）１１７が接続されている。ＬＥＤ１１７は、例えばテレビジョン受像機１００の電源がオン状態であれば、緑色を発色し、電源がオフされれば赤色を発色するように構成されている。
【００２６】
さらに、テレビジョン受像機１００は、スケーラ１０５、ＬＶＤＳトランスミッタ１０６及びＬＣＤパネル１０７を制御するためのＢＥＰ（Back End Processing)マイコン１１８を備えている。ＢＥＰマイコン１１８には、本発明の重要な構成部分である内部状態検出部１１９が接続されている。内部状態検出部１１９は、ＬＣＤパネル１０７へ供給される電源電圧の変化を監視して、電源電圧が所定の電圧より低下した際に、ＢＥＰマイコン１１８にそれを伝え、さらにＢＥＰマイコン１１８がその情報をメインマイコン１１３に送り、メインマイコン１１３がテレビジョン受像機１００の電源を遮断するように制御するものであるが、詳細については後述する。
【００２７】
さらに、テレビジョン受像機１００には、各回路部分に動作電源を供給するための電源ユニット１２０が設けられている。電源ユニット１２０は、電源プラグ１２１を介して商用電源に接続されて、５種類の電源電圧を出力する。
【００２８】
すなわち、電源ユニット１２０は、パワー０〜４を出力するもので、パワー０は、電源プラグ１２１が商用電源に接続されている限り、常時電源を出力するもので、メインマイコン１１３の電源として利用される。
【００２９】
また、パワー１は、いわゆるフロントエンドの各回路部で使われる電源であり、チューナ／デマルチプレクサ部１０３、ＭＰＥＧ２デコーダ１０４、音声信号処理回路１１１に供給される。
【００３０】
パワー２は、バックエンドの各回路部用の電源であり、スケーラ１０５，ＬＶＤＳトランスミッタ１０６で使われる。また、パワー３及び４はＬＣＤパネル１０７に電源として供給されるものであり、パワー３がＬＣＤパネル１０７のコントロール回路１０８に供給され、パワー４は、ＬＣＤパネル１０７のインバータ回路１１０に供給される。
【００３１】
これら電源電圧のうち、パワー１，２のオンオフは、メインマイコン１１３で制御されるもので、電源パワー３，４のオンオフは、メインマイコンの管理の下、ＢＥＰマイコン１１８で制御される。
【００３２】
図２は、リモートコントローラ１１５のキー配置の一例を示す図である。図に示すように、リモートコントローラ１１５は、受信チャンネルの切換え、あるいは数字データ入力時等に使用する１〜１２のキーで構成された数字キー２０１を有する。
【００３３】
さらにリモートコントローラ１1５は、画面上の項目を選択するためのカーソルキー２０２と、カーソル２０２で選択した項目を登録するための決定キー２０３を有し、さらに、チャンネルをアップ／ダウン選局するためのチャンネルアップ／ダウンキー２０４と、音量を増大させ、または減少させるための音量調整キー２０５を有し、さらにテレビジョン受像機１００の電源をオン／オフさせるための電源キー２０６を有する。
【００３４】
図１に戻って、まずテレビジョン受像機１００の一般的動作について説明する。  
テレビジョン受像機１００が、電源オフの状態では、電源ユニット１２０は、パワー０を除いて、電源電圧を出力しておらず、ＬＣＤパネル１０７にも映像は何ら表示されていない。ユーザが、放送番組を視聴しようとした場合、リモートコントローラ１１５の電源キー２０６を操作する。
【００３５】
メインマイコン１１３は、赤外線受光部１１６を介してリモコン信号を受けて電源ユニット１２０を制御し、パワー１〜４を出力させる。さらにメインマイコン１１３は、例えばその内蔵メモリに記憶されている電源をオフするまで視聴していたチャンネルデータに基づいて、チューナ／デマルチプレクサ部１０３を制御して、そのチャンネルを選局させる。
【００３６】
さらに、メインマイコン１１３は、ＭＰＥＧ２デコーダ１０４、スケーラ１０５、ＬＶＤＳトランスミッタ１０６、ＬＣＤパネル１０７及び音声信号処理化回路１１１を制御して、選局したチャンネルの放送番組の映像をＬＣＤパネル１０７で表示させ、かつその番組の音声をスピーカ１１２から出力させる。
【００３７】
他のチャンネルを視聴する場合には、リモートコントローラ１１５の数字キー２０１を操作してチャンネル番号を直接入力するか、あるいはチャンネルアップ／ダウンキー２０４を操作して、選局チャンネルを切換える。また、音量を調整する場合には、音量調整キー２０５を操作する。さらにテレビジョン受像機１００の電源をオフさせる場合には、電源キー２０６を操作する。
【００３８】
次に、テレビジョン受像機１００の本発明部分の動作について説明する。番組視聴状態で、電源キー２０６が操作されると、メインマイコン１１３は、ＢＥＰマイコン１１８に制御信号を送って、ＬＶＤＳトランスミッタ１０６をＬＣＤパネル１０７の画面全体に黒い色が表示されるいわゆる映像ミュート状態とするように制御させると共に、音声信号処理回路１１１を制御して音声が出力されないようにミュートを掛ける。また、同時にＬＥＤ１１７が赤色で点灯するように制御する。
【００３９】
さらに、メインマイコン１１３は、ＢＥＰマイコン１１８に制御信号を送って、まずバックライト１０９をオフにする。それによってＬＥＤ１１７の赤色発光と合わせて、テレビジョン受像機１００は、外見上電源オフ状態となっている。
【００４０】
続いて、ＢＥＰマイコン１１８は、電源ユニット１２０のパワー３，４の出力をオフさせる。オフされたパワー３，４は電源ユニット１２０の回路構成（例えば、パワー３，４の各出力端に接続されたコンデンサの容量）に応じてその電圧が徐々に低下していく。
【００４１】
このとき、電源ユニット１２０はパワー１，２をそのまま継続して出力している状態であり、チューナ／デマルチプレクサ部１０３、ＭＰＥＧ２デコーダ、スケーラ１０５及びＬＶＤＳトランスミッタ１０６は、そのまま動作状態にある。
【００４２】
さらにこのとき、ＢＥＰマイコン１１８に接続された内部状態検出部１１９は、パワー４の電圧値を検出することで、ＬＣＤパネル１０７の内部状態を監視し、その検出出力をＢＥＰマイコン１１８に送っている。ＢＥＰマイコン１１８は、内部状態検出部１１９からの検出出力によって、パワー４の電圧が低下して例えばＶ１になったことが判明するまでは、電源ユニット１２０のパワー１，２の供給を維持すべく、メインマイコン１１３には何ら信号を送らない。
【００４３】
パワー４の電圧がＶ１以下になるまでに、リモートコントローラ１１５の電源キー２０６が操作されると、メインマイコン１１３は、自ら及びＢＥＰマイコンを介して電源ユニット１２０を制御して電源パワー３，４をオンに立ち上げる。
【００４４】
その結果、ＬＣＤパネル１０７のコントロール回路１０８及びインバータ回路１１０に電源が供給される。さらにメインマイコン１１３は、それと同時に音声信号処理回路１１１を制御すると共に、ＢＥＰマイコン１１８を介してＬＶＤＳトランスミッタ１０６を制御して、映像と音声のミュートを解除し、さらにＢＥＰマイコン１１８によって、ＬＣＤパネル１０７のバックライト１０９をオンさせる。
【００４５】
それによって、それまで視聴していた番組の映像がＬＣＤパネル１０７に表示されると共に、音声がスピーカ１１２から出力され、その番組の視聴が継続される。
【００４６】
パワー４の電圧がＶ１以下に低下したら、内部状態検出部１１９は、ＢＥＰマイコン１１８に信号を送り、ＢＥＰマイコン１１８はそれを受けて、メインマイコン１１３に制御信号を送る。メインマイコン１１３は、電源ユニット１２０を制御して、パワー１，２をオフさせる。それによってテレビジョン受像機１００は、電源オフ状態、いわゆるスタンバイ状態となる。
【００４７】
以上のように、本発明によれば、番組視聴状態で、リモートコントローラ１１５の電源キー２０６が操作された際に、テレビジョン受像機１００を映像及び音声ミュート状態であるが、外見上は電源オフ（スタンバイ）状態に見えるように設定し、ＬＣＤパネル２０７への電源電圧がＶ１より低下するまでに、電源キー２０６が操作されたら、映像と音声を即出力させ、ＬＣＤパネル２０７への電源電圧がＶ１より低下したら、本来の電源オフ状態になるように構成したので、誤って電源キー２０６を操作してしまっても、電源キー２０６を続けて操作することで、元の視聴状態に即復活させることができるため、使い勝手を損なうことがない。
【００４８】
特に、本発明では、ＬＣＤパネル１０７内部の状態を監視して、監視結果に基づいて、映像音声がミュートされバックライトがオフされた状態と、本来の電源オフ状態への移行の管理を行うようにしているので、液晶表示器を適用したテレビジョン受像機１００において、その表示動作を適切に制御できるものである。
【００４９】
ＬＣＤパネル１０７への動作電源の供給のタイミングと、その内部の動作の詳細について、図３〜５を用いてさらに説明する。  
図３は、本発明の要部の構成をより詳しく説明するための回路ブロック図である。図３において、図１と同一構成部分に同じ符号を付す。
【００５０】
ＬＣＤパネル１０７は、液晶素子と３原色フィルタを含むＬＣＤパネル本体３０１と、ＬＣＤパネル本体３０１に光を提供するバックライト１０９と、このバックライト１０９に電源を供給するインタバータ回路１１０と、ＬＣＤパネル１０７を駆動し、かつその動作をコントロールするコントロール回路を備えている。
【００５１】
コントロール回路１０８は、ＬＶＤＳトランスミッタ１０６からの信号を受けてＬＣＤパネル本体３０１を駆動すると共に、ＢＥＰマイコン１１８の管理の下、バックライト１０９の点燈／消燈（オン／オフ）を行う。
【００５２】
コントロール回路１０８とインバータ回路１１０には、ＢＥＰマイコン１１８の管理の下、電源ユニット１２０からパワー３とパワー４が供給される。ＢＥＰマイコン１１８は、メインマイコン１１３（図１）からの制御信号を受けて、電源ユニット１２０を制御して、パワー３，４のオンオフ切換えを行うと共に、ＬＶＤＳトランスミッタ１０６を制御して映像ミュートを実行させ、さらにコントロール回路１０８を制御して、バックライト１０９のオンオフ制御を行なう。
【００５３】
また、ＢＥＰマイコン１１８は、内部状態検出部１１９に接続されており、その検出出力を受ける。内部状態検出部１１９は、パワー４の電圧を監視する機能を有するもので、所定の電圧、例えばＶ１を閾値として内部に持ち、パワー４の電圧が電圧Ｖ１より低下したら、ＢＥＰマイコン１１８にそれを伝える。
【００５４】
ＢＥＰマイコン１１８はそれを受けて、メインマイコン１１３にその情報を伝え、メインマイコン１１３がテレビジョン受像機１００の動作電源をオフにしてスタンバイ状態に切換える。
【００５５】
図３に示す回路構成の動作を、図４及び図５のタイミングチャートを参照して説明する。図４は、電源ユニット１２０を制御するためにＢＥＰマイコン１１８から電源ユニット１２０に供給される信号と、それによって実際に電源ユニット１２０から出力されるパワー３がいかに変化するか示すもので、図４（ｂ）がＢＥＰマイコン１１８からの信号を示し、図４（ａ）が、パワー３の変化状態を示す。図４（ｂ）のｔ４０がＬＣＤパネル１０７の電源をオフさせるタイミングで、ｔ４１が電源をオンさせるタイミングである。
【００５６】
また、図５は、電源ユニット１２０を制御するためにＢＥＰマイコン１１８から電源ユニット１２０に供給される信号と、それによって実際に電源ユニット１２０から出力されるパワー３及びパワー４の電圧がいかに変化するかという状況と、バックライト１０９のオンオフタイミングを示すもので、図５（ｄ）がＢＥＰマイコン１１８からの信号を示し、図５（ａ）がパワー４の電圧の変換状態、また図５（ｂ）がパワー３の変化状態をそれぞれ示し、図５（ｃ）がバックライト１０９のオンオフタイミングを示す。図５（ｄ）のｔ５０がＬＣＤパネル１０７の電源をオフさせるタイミングで、ｔ５１が電源をオンさせるタイミングである。
【００５７】
番組視聴状態において、リモートコントローラ１１５の電源キー２０６が操作されると、メインマイコン１１３がこれを受けて、ＢＥＰマイコン１１８に対して、ＬＶＤＳトランスミッタ１０６の出力をオフにし、さらにＬＣＤパネル１０７のバックライト１０９をオフにし、さらにＬＣＤパネル１０７の電源を落とすようコマンドを送る。
【００５８】
ＢＥＰマイコン１１８はこれを受けて、ＬＶＤＳトランスミッタ１０６をミュート状態にし、さらにバックライト１０９をオフ状態にさせるべく、コントロール回路１０８に制御信号を送る。これによって、バックライト１０９がオフする。そのタイミングは図５（ｃ）に示すとおりである。
【００５９】
さらに、ＢＥＰマイコン１１８は、電源ユニット１２０にＬＣＤパネル１０７の電源をオフさせる信号を送る。この信号は、図４（ｂ）と図５（ｄ）である。すなわち、それら信号が立ち下がったタイミングで、電源ユニット１２０がパワー３，４をオフにする。それによって、パワー３，４の電圧が下降を開始する。図４（ａ）に拡大して示すように、パワー３は、その電圧が規定出力（Ｖｃｃ）に対して、その０．３（ＶＳ３）以下（例えば、規定電圧が５Ｖであると１．５Ｖ）になると、次にオンして規定出力の（０．９Ｖｃｃ）以上になるまで、最低１秒以上は間隔を空ける必要がある。つまり、一旦落ちると、最低１秒は電源をオンさせることができない。
【００６０】
このため、瞬時に電源を復活させるには、このレベル以下になる前に電源オンのコマンドを与える必要がある。
【００６１】
ここで、パワー３が０．３Ｖｃｃ以下になるまでの時間を実測値で見ると、図４（ａ）のｔ３０で示すように０．３ｓｅｃ程度を要しているが、具体的回路構成の抵抗値等を変更することで、０．３Ｖｃｃに低下する時間をさらに長くすることは可能であり、視聴状態に復帰させるためのリモートコントローラ１１５の電源キー２０６の再操作をある程度余裕を持って行うことができるように設定することは可能である。
【００６２】
また、図５（ａ）に示すように、パワー４の電圧は、インバータ回路１１０の出力電圧が５Ｖから０Ｖに落ちるまでは、接続されている負荷により比較的急な傾きで下降するが、インバータ回路１１０の出力電圧が０Ｖまで落ちた後は完全無負荷状態となり、その下降カーブは著しくなだらかになって、０Ｖになるまで十数秒程度を要する。このため、パワー４の電圧は、インバータ回路１１０の出力電圧が０Ｖになった後１秒程度では、未だおよそ４．７Ｖ弱の値を保っている。
【００６３】
パワー３と４の関係は実質的に1対1であるから、パワー４の電圧値を観測することは、パワー３を観測することと等価である。
【００６４】
そこで、パワー４の電圧４．７Ｖを閾値（Ｖ１）として、パワー４の電圧がそれを下回ると、内部状態検出部１１９からＢＥＰマイコン１１８にその結果が伝えられ、ＢＥＰマイコン１１８は、それをメインマイコン１１３に伝送する。
【００６５】
ＢＥＰマイコン１１８から、パワー４の電圧がＶ１以下になったことに伴う信号が伝送されても、リモートコントローラ１５の電源キー２０６が操作されなかったら、メインマイコン１１３は、「先程の電源オフ命令は正規のものである」と判断し、改めて電源ユニット１２０に電源オフ命令を送り、パワー１，２を落とす。
【００６６】
これにより、ＢＥＰマイコン１１８の電源も落ち、ＬＣＤパネル１０７は既に落ちる途中であるから、しばらくしてテレビジョン受像機１００が真にスタンバイ状態となる。
【００６７】
一方、パワー４の電圧が４．７Ｖ以下になったことに伴う信号が、ＢＥＰマイコン１１８から伝送されないうちに、リモートコントローラ１１５の電源キー２０６が操作された場合には、メインマイコン１１３は、「先程の電源オフ命令はユーザの都合でキャンセルされた」と判断し、ＢＥＰマイコン１１８に対して、ＬＶＤＳトランスミッタ１０６のミュートを解除し、ＬＣＤパネル１０７のバックライト１０９をオンさせ、かつＬＣＤパネル１０７の電源を復活させる命令を発する。さらに、音声信号処理回路１１１を制御して音声ミュートを解除し、ＬＥＤ１１７を緑色発光状態にする。
【００６８】
それによって、ＬＣＤパネル１０７には、再び映像が表示され、またスピーカ１１２から音声が出力される。
【００６９】
このように、電源キー２０６の連続的な操作で、電源オフ状態から画面及び音声が、無画像及び無音状態から素早く復活するので、ユーザにとっては、テレビジョン受像機１００内で電源オフ／オンがあたかも瞬時に行われたように見え、イライラ感を解消することができるようになる。
【００７０】
図６は、以上説明した本発明の液晶表示器の表示制御装置の動作を改めて、説明するためのフローチャートである。図において、ステップＳ６０１で開始され、ステップＳ６０２で受像機の電源をオンにし、ステップＳ６０３で所望番組の視聴を行う。
【００７１】
次にステップＳ６０４でリモートコントローラ（リモコン）１１５の電源キー２０６が操作されたか否かの判定がなされ、操作されないと判定された場合には、ステップＳ６０３に戻る。ステップＳ６０４でり電源キーが操作されたと判定されたら、ステップＳ６０５で、ＬＶＤＳトランスミッタ１０６と音声信号制御回路１１１を制御して映像及び音声をミュートし、次いでステップＳ６０６で、バックライト１０９をオフにし、ＬＣＤパネル１０７の電源をオフにする。
【００７２】
次に、ステップＳ６０７でパワー４の電圧がＶ１以下になったか否かの判定を行い、Ｖ１以下になっていない場合には、ステップＳ６０８でリモートコントローラ１１５の電源キー２０６が操作されたか否かの判定が行なわれ、電源キー２０６が操作されないと判定されたら、ステップＳ６０７に戻る。
【００７３】
ステップＳ６０８で電源キー２０６が操作されたと判定されたらステップＳ６０９でバックライト１０９をオンにすると共に、ＬＣＤパネル１０７の電源をオンにする。
【００７４】
次いで、ステップＳ６１０でＬＶＤＳトランスミッタ１０６と音声信号制御回路１１１を制御して映像及び音声ミュートを解除してステップＳ６０３に戻る。
【００７５】
ステップＳ６０７でパワー４の電圧がＶ１以下になったら、ステップＳ６１１で、電源ユニット１２０のパワー１，２を立ち下げて、テレビジョン受像機１００を真にスタンバイ状態にする。
【００７６】
以上述べたように本発明によれば、番組視聴状態で、リモートコントローラ１１５の電源キー２０６が操作された際に、テレビジョン受像機１００を映像及び音声ミュート状態であるが、外見上は電源オフ（スタンバイ）状態に見えるように設定し、ＬＣＤパネル２０７へ動作電源として供給される電圧がＶ１より低下するまでに、電源キー２０６が操作されたら、映像と音声を即出力させ、ＬＣＤパネル２０７へ動作電源として供給される電圧がＶ１より低下したら、本来の電源オフ状態になるように構成したので、誤って電源キー２０６を操作してしまっても、電源キー２０６を続けて操作することで、視聴状態に即復活するため、使い勝手を損なうことがない。
【００７７】
特に、本発明では、ＬＣＤパネル１０７内部の状態を監視して、映像音声がミュートされ、バックライトがオフされた状態と、本来の電源オフ状態の設定を管理するようにしているので、液晶表示器を適用したテレビジョン受像機１００の表示動作を適切に制御できるものである。
【図面の簡単な説明】
【００７８】
【図１】本発明に係るテレビジョン受像機の一実施の形態を示す回路ブロック図。
【図２】図１の装置に適用されるリモートコントローラのキー配置の一例を示す図。
【図３】図１に装置の要部をさらに具体的に示す回路ブロック図。
【図４】図１の装置の動作を説明するためのタイミングチャート。
【図５】図１の装置の動作を説明するためのタイミングチャート。
【図６】図１の装置の動作を説明するためのフローチャート。
【符号の説明】
【００７９】
１００…テレビジョン受像機
１０１…アンテナ
１０２…アンテナ入力端子
１０３…チューナ／デマルチプレクサ部
１０４…ＭＰＥＧ２デコーダ
１０５…スケーラ
１０６…ＬＶＤＳトランスミッタ
１０７…ＬＣＤパネル
１０８… コントロール回路
１０９…バックライト
１１０…インバータ回路
１１１…音声信号処理回路
１１２…スピーカ
１１３…メインマイコン
１１４…操作入力部
１１５…リモートコントローラ
１１６…赤外線受光部
１１７…ＬＥＤ
１１８…ＢＥＰマイコン
１１９…内部状態検出部
１２０…電源ユニット
１２１…電源プラグ
３０１…ＬＣＤパネル本体
【図１】
2005295256.tif 000003
【図２】
2005295256.tif 000004
【図３】
2005295256.tif 000005
【図４】
2005295256.tif 000006
【図５】
2005295256.tif 000007
【図６】
2005295256.tif 000008
【手続補正書】
【提出日】平成17年2月9日(2005.2.9)
【手続補正１】
【補正対象書類名】明細書
【補正対象項目名】００６２
【補正方法】変更
【補正の内容】
【００６２】
また、図５（ａ）に示すように、パワー４の電圧は、バックライト１０９がオフし（図５（ｃ）参照）、電源制御信号がオフとなった（図５（ｄ）参照）後、インバータ回路１１０の出力電圧（図示せず）が５Ｖから０Ｖに落ちるまでは、接続されている負荷により比較的急な傾きで下降するが、インバータ回路１１０の出力電圧が０Ｖまで落ちた後は完全無負荷状態となり、パワー４の電圧は、その下降カーブが著しくなだらかになって、０Ｖになるまで十数秒程度を要する。このため、パワー４の電圧は、インバータ回路１１０の出力電圧が０Ｖになった後１秒程度では、未だおよそ４．７Ｖ弱の値を保っている。